(57)【要約】【課題】  詳細解析を行わず、簡易的な同一動画像データの判定により、重複保存を回避した動画像データの移動複製を、高速に実現する動画像記録方法、および動画像記録装置を提供する。【解決手段】  動画像を記録する記録媒体を登録する記録媒体登録部１０３と、動画像データの記録フォルダ、ファイル名を管理する動画像データ記録情報管理部１１２を備え、登録記録媒体間で重複した動画記録フォルダ名の使用を回避することにより、登録記録媒体間での動画像データの移動、複製時に、記録フォルダ、ファイル名のみによる動画像データの同一確認で、重複保存を回避した、動画像データの移動複製を、高速に実現することができる。【選択図】  図１
2009099220.tif 000002
【特許請求の範囲】
【請求項１】
内蔵された記録媒体、あるいは着脱可能な記録媒体に動画像を記録する動画像記録装置において、
前記動画像記録装置で一意に決定する登録鍵を作成する登録鍵作成手段と、
前記動画像記録装置、および前記動画像記録装置で動画像を記録する記録媒体として使用する記録媒体に、前記登録鍵を記録して、該記録媒体を登録記録媒体として登録する記録媒体登録手段と、
前記登録記録媒体の動画像記録状態情報を取得し、該登録記録媒体の動画像記録状態情報を、前記登録鍵に関連させて、該動画像記録装置内にて記録する動画像記録状態保存手段と、
該動画像記録装置における動画像の記録あるいは編集に使用する記録媒体の登録状態、および前記登録記録媒体の現在の動画像記録状態情報を確認する登録記録媒体確認手段と、
該動画像記録装置に記録されている前記登録鍵に関連させて保持している前記動画像記録状態情報と、前記登録記録媒体確認手段において確認した前記登録記録媒体の現在の動画像記録状態情報とが一致していない場合、該動画像記録装置の登録鍵を削除して、登録記録媒体の登録を解除する記録媒体登録解除手段と、
動画像データを記録するフォルダ、ファイル、および管理情報を管理する動画像データ記録情報管理手段と、
記録媒体間の動画像データの移動、および複製処理を行う記録媒体間データ処理手段とを備えた、
ことを特徴とする動画像記録装置。
【請求項２】
請求項１記載の動画像記録装置において、
前記登録鍵作成手段は、登録鍵の作成に伴い１つずつ値を加算させる変動番号を作成する手段を備え、前記変動番号を用いて登録鍵を作成する、
ことを特徴とする動画像記録装置。
【請求項３】
請求項１記載の動画像記録装置において、
前記記録媒体登録手段は、前記登録記録媒体確認手段にて、前記動画像記録装置内に存在する登録鍵と一致する登録鍵が、記録媒体内に記録されていないと確認し、なおかつ記録媒体内に動画像が記録されていない状態の場合のみ、登録を許可する、
ことを特徴とする動画像記録装置。
【請求項４】
請求項１記載の動画像記録装置において、
前記動画像記録状態情報は、記録媒体内の動画像データの総再生時間情報と、動画記録フォルダ数情報と、各動画記録フォルダ名と、各動画記録フォルダ内の動画像データ数とである、
ことを特徴とする動画像記録装置。
【請求項５】
請求項４記載の動画像記録装置において、
前記記録媒体登録解除手段は、
前記登録鍵を削除する際、削除する前記登録鍵に関連させて記録された前記動画像記録状態情報の動画記録フォルダ名を開放して、再使用可能状態とするとともに、前記削除する登録鍵に関連させて記録された前記動画像記録状態情報を、削除する、
ことを特徴とする動画像記録装置。
【請求項６】
請求項１記載の動画像記録装置において、
前記動画像データ記録情報管理手段は、
動画像の記録に伴い新たに使用した動画記録フォルダ名を保持し確保する動画記録フォルダ名保持確保手段と、
該確保している動画記録フォルダ名以外の動画記録フォルダ名を作成する動画記録フォルダ名作成手段とを備え、
動画像の撮影に伴い動画像データを前記登録記録媒体に記録する際、登録記録媒体間で重複した動画記録フォルダ名の使用を回避する、
ことを特徴とする動画像記録装置。
【請求項７】
請求項１記載の動画像記録装置において、
前記記録媒体間データ処理手段は、データ移動先あるいは複製先に、同一のフォルダ名およびファイル名を持つ動画像データが存在する場合、同一動画像が存在すると判断する同一動画像データ確認手段を備え、
前記同一動画像が存在すると判断された場合、当該動画像データの移動あるいは複製処理を行わない、
ことを特徴とする動画像記録装置。
【請求項８】
請求項１記載の動画像記録装置において、
前記記録媒体間データ処理手段は、データ移動先あるいは複製先に、同一のフォルダ名およびファイル名を持つ動画像データが存在する場合、同一動画像が存在すると判断する同一動画像データ確認手段と、
使用者に同一動画像の存在を通知する表示手段とを備え、
前記同一動画像が存在すると判断された場合、前記表示手段により該同一動画像の存在を通知した上で、使用者による該同一動画像データのデータ移動あるいは複製の実行指示があった場合にのみ、当該動画像データの移動あるいは複製処理を行う、
ことを特徴とする動画像記録装置。
【請求項９】
内蔵された記録媒体、あるいは着脱可能な記録媒体に動画像を記録する動画像記録装置を用いて、動画像を記録し、および記録した動画像を記録媒体間でデータ移動する、あるいは複製する動画像記録、移動・複製方法において、
記録媒体の登録記録媒体としての登録は、動画像を記録する動画像記録装置において一意に決定した登録鍵を作成し、前記動画像記録装置、および動画像を記録する記録媒体に、前記登録鍵を記録して、該記録媒体を、登録記録媒体として登録し、
登録記録媒体の動画像記録状態情報の記録は、登録記録媒体の動画像記録状態情報を取得して、これを前記登録鍵に関連させて前記動画像記録装置に記録し、
動画像の記録あるいは編集を行う前に、使用する記録媒体の登録状態を、および使用する記録媒体が登録記録媒体であるときは該登録記録媒体の現在の動画像記録状態情報を、確認し、
該登録記録媒体の現在の動画像記録状態情報と、前記動画像記録装置内の前記登録鍵に関連させて保持している動画像記録状態とを比較し、該現在の動画像記録状態情報が、前記登録鍵と関連させて保持している動画像記録状態情報と一致していない場合、該動画像記録装置における前記登録鍵を削除して、登録記録媒体の登録を解除し、
動画像の撮影に伴う動画像データを登録記録媒体に記録する際において、記録に伴い新たな動画記録フォルダに動画像を記録する場合、登録記録媒体間で未使用の動画記録フォルダ名に記録するとともに、記録に伴い新たに使用した動画記録フォルダ名を保持し、登録記録媒体間の動画像データの移動あるいは複製処理を行う際は、データ移動先あるいは複製先において、既存のフォルダ名、ファイル名、および管理情報を変更することなく、動画像データの移動あるいは複製処理を行う、
ことを特徴とする動画像記録、移動・複製方法。
【請求項１０】
請求項９記載の動画像記録、移動・複製方法において、
前記登録鍵の作成は、登録鍵の作成に伴い１つずつ値を加算させる変動番号を作成し、該変動番号を用いて登録鍵を作成する、
ことを特徴とする動画像記録、移動・複製方法。
【請求項１１】
請求項９記載の動画像記録、移動・複製方法において、
前記登録記録媒体の登録は、前記動画像記録装置内に存在する登録鍵と一致する登録鍵が該記録媒体内に記録されていないかを確認し、登録鍵が記録されておらず、かつ該記録媒体内に動画像が記録されていない場合にのみ、登録する、
ことを特徴とする動画像記録、移動・複製方法。
【請求項１２】
請求項９記載の動画像記録、移動・複製方法において、
前記動画像記録状態情報の記録は、記録媒体内の動画像データの総再生時間情報と、動画記録フォルダ数情報と、各動画記録フォルダ名と、各動画記録フォルダ内の動画像データ数とを、前記登録鍵に関連させて、前記動画像記録装置に記録する、
ことを特徴とする動画像記録、移動・複製方法。
【請求項１３】
請求項１２記載の動画像記録、移動・複製方法において、
前記登録記録媒体の登録の解除は、前記登録鍵を削除するとともに、該削除する登録鍵に関連させて記録された前記動画像記録状態情報の動画記録フォルダ名を開放して、再使用可能にするとともに、前記削除する登録鍵に関連させて記録された前記動画像記録状態情報を、削除する、
ことを特徴とする動画像記録、移動・複製方法。
【請求項１４】
請求項９記載の動画像記録、移動・複製方法において、
登録記録媒体間での動画像データの移動あるいは複製処理を行う際において、データ移動先あるいは複製先に、同一名のフォルダ名およびファイル名を持つ動画像データが存在する場合、同一動画像が存在すると判断し、当該動画像データの移動あるいは複製処理を行わない、
ことを特徴とする動画像記録、移動・複製方法。
【請求項１５】
請求項９記載の動画像記録、移動・複製方法において、
登録記録媒体間での動画像データの移動あるいは複製処理を行う際において、データ移動先あるいは複製先に、同一のフォルダ名およびファイル名を持つ動画像データが存在する場合、同一動画像が存在すると判断し、使用者に同一動画像の存在を通知し、その上で使用者による同一動画像データのデータ移動あるいは複製の指示があった場合にのみ、当該動画像データの移動あるいは複製処理を行う、
ことを特徴とする動画像記録、移動・複製方法。
【発明の詳細な説明】
【技術分野】
【０００１】
本発明は、デジタルビデオムービーなどの動画像を記録する方法、および装置に関し、特に、複数の記録媒体に動画像データを記録する管理を適切に行って、記録媒体間の動画像データの移動や複製を、好適に実現することのできる動画像記録装置、および動画像記録、移動・複製方法に関するものである。
【背景技術】
【０００２】
近年、デジタルビデオムービーなどの動画像を記録する装置は、その記録媒体にランダムアクセス可能な記録媒体であるＤＶＤディスクなどの光ディスク記録媒体や、ハードディスクなどの磁気ディスク記録媒体、ＳＤカードなどの半導体記録媒体などを記録媒体として動画像を記録し、記録した動画像の再生や、編集をより効率的に行える機能を提供している。
【０００３】
また、複数の記録媒体を有し、記録媒体間の動画像データの移動や、複製機能を提供する装置も現れてきている。
【０００４】
従来のデジタルビデオムービーなどの動画像を記録する装置において、記録する動画像データは、記録する記録媒体ごとに管理している。よって、別の動画像データであっても、フォルダ、ファイル構造が同一のものが存在する。したがって、記録媒体を効率よく使用するために動画像データの重複保存を回避するためには、記録媒体間の動画像データの移動や、複製の際に、移動元（複製元）と、移動先（複製先）とにおいて、フォルダ、ファイル構造が同一のものが存在する可能性があるため、フォルダ、ファイル構造のみによる同一動画像データ判定ではなく、移動元（複製元）と、移動先（複製先）双方の記録媒体内のフォルダとファイル構成、及び管理情報を詳細に解析して同一動画像データの判定を行い、なおかつ移動先（複製先）のフォルダ、ファイル構造を再構築し、移動先（複製先）の管理情報も再構築している。（例えば、特許文献１参照。）
【０００５】
図１３において、動画像データの移動や、複製は、管理情報解析部１３０２にて、移動元（複製元）の記録媒体Ａ（１３０３）と、移動先（複製先）の記録媒体Ｂ（１３０７）双方のフォルダと、ファイル構成、および管理情報を詳細に解析し、解析した情報を元に、複製判定部１３０１において、移動（複製）の許可がなされると、解析した情報を元に、Ｆｉｌｅ／Ｄｉｒｅｃｔｏｒｙ構築部１３０５と、管理情報構築部１３０６は、移動（複製）する動画像データのフォルダと、ファイル構成、および管理情報を再構築しつつ、複製制御部１３０４によって、記録媒体Ａ（１３０３）から記録媒体Ｂ（１３０７）に動画像データの移動（複製）を行っている。
【特許文献１】特開２００２−１１６９４６号公報（第１１−１８頁、第１図）
【発明の開示】
【発明が解決しようとする課題】
【０００６】
しかしながら、前記従来の構成では、動画像データの重複保存を回避するために、実際の動画像データの移動や、複製処理のみでなく、移動元（複製元）と、移動先（複製先）双方の記録媒体内のフォルダと、ファイル構成、および管理情報を詳細に解析したのち、移動先（複製先）のフォルダ、ファイル構造を再構築し、移動先（複製先）の管理情報も再構築しているため、移動や複製処理時間が非常に長くなってしまうという課題を有していた。
【０００７】
本発明は、前記従来の課題を解決するためになされたもので、移動元（複製元）と、移動先（複製先）双方の記録媒体内のフォルダと、ファイル構成、および管理情報の詳細解析や、再構築を行わずに、簡易的な同一動画像データの判定によって、高速に動画像データの重複保存を回避した動画像データの移動や、複製を実現することのできる動画像記録装置、および動画像記録、移動・複製方法を提供することを目的とする。
【課題を解決するための手段】
【０００８】
前記従来の課題を解決するために、本発明の請求項１にかかる動画像記録装置は、内蔵された記録媒体、あるいは着脱可能な記録媒体に動画像を記録する動画像記録装置において、前記動画像記録装置で一意に決定する登録鍵を作成する登録鍵作成手段と、前記動画像記録装置、および前記動画像記録装置で動画像を記録する記録媒体として使用する記録媒体に、前記登録鍵を記録して、該記録媒体を登録記録媒体として登録する記録媒体登録手段と、前記登録記録媒体の動画像記録状態情報を取得し、該登録記録媒体の動画像記録状態情報を、前記登録鍵に関連させて、前記動画像記録装置内にて記録する動画像記録状態保存手段と、前記動画像記録装置における動画像の記録あるいは編集に使用する記録媒体の登録状態、および前記登録記録媒体の現在の動画像記録状態情報を確認する登録記録媒体確認手段と、該動画像記録装置に記録されている前記登録鍵に関連させて保持している動画像記録状態情報と、前記登録記録媒体確認手段において確認した前記登録記録媒体の現在の動画像記録状態情報とが一致していない場合、前記動画像記録装置の登録鍵を削除して、登録記録媒体の登録を解除する記録媒体登録解除手段と、動画像データを記録するフォルダ、ファイル、および管理情報を管理する動画像データ記録情報管理手段と、記録媒体間の動画像データ移動、および複製処理を行う記録媒体間データ処理手段とを備えた、ことを特徴としたものである。
【０００９】
さらに、前記動画像記録装置において、前記登録鍵作成手段は、登録鍵の作成に伴い１つずつ値を加算させる変動番号を作成する手段を備え、前記変動番号を用いて登録鍵を作成する、ことを特徴としたものである。
【００１０】
またさらに、前記動画像記録装置において、前記記録媒体登録手段は、前記登録記録媒体確認手段にて、前記動画像記録装置内に存在する登録鍵と一致する登録鍵が、記録媒体内に記録されていないと確認し、なおかつ記録媒体内に動画像が記録されていない状態の場合のみ、登録を許可する、ことを特徴としたものである。
【００１１】
またさらに、前記動画像記録装置において、前記動画像記録状態情報は、記録媒体内の動画像データの総再生時間情報と、動画記録フォルダ数情報と、各動画記録フォルダ名と、各動画記録フォルダ内の動画像データ数とである、ことを特徴としたものである。
【００１２】
またさらに、前記動画像記録装置において、前記記録媒体登録解除手段は、前記登録鍵を削除する際、削除する前記登録鍵に関連させて記録された前記動画像記録状態情報の動画記録フォルダ名を開放して、再使用可能状態とするとともに、前記削除する登録鍵に関連させて記録された前記動画像記録状態情報を、削除する、ことを特徴としたものである。
【００１３】
またさらに、前記動画像記録装置において、前記動画像データ記録情報管理手段は、動画像の記録に伴い新たに使用した動画記録フォルダ名を保持し確保する動画記録フォルダ名保持確保手段と、該確保している動画記録フォルダ名以外の動画記録フォルダ名を作成する動画記録フォルダ名作成手段とを備え、動画像の撮影に伴い動画像データを前記登録記録媒体に記録する際、登録記録媒体間で重複した動画記録フォルダ名の使用を回避する、ことを特徴としたものである。
【００１４】
またさらに、前記動画像記録装置において、前記記録媒体間データ処理手段は、データ移動先および複製先に、同一名のフォルダ名およびファイル名を持つ動画像データが存在する場合、同一動画像が存在すると判断する同一動画像データ確認手段を備え、前記同一動画像が存在すると判断した場合、該当動画像データ移動あるいは複製処理を行わない、ことを特徴としたものである。
【００１５】
またさらに、前記動画像記録装置において、前記記録媒体間データ処理手段は、データ移動先あるいは複製先に、同一名のフォルダ名およびファイル名を持つ動画像データが存在する場合、同一動画像が存在すると判断する同一動画像データ確認手段と、使用者に同一動画像の存在を通知する表示手段とを備え、前記同一動画像が存在すると判断された場合、前記表示手段により該同一動画像の存在を通知した上で、使用者による該同一動画像データのデータ移動あるいは複製実行指示があった場合にのみ、当該動画像データの移動あるいは複製処理を行う、ことを特徴としたものである。
【００１６】
また、本発明にかかる動画像記録、移動・複製方法は、内蔵された記録媒体、あるいは着脱可能な記録媒体に動画像を記録する動画像記録装置を用いて、動画像を記録し、および記録した動画像を記録媒体間でデータ移動する、あるいは複製する動画像記録、移動・複製方法において、記録媒体の登録記録媒体としての登録は、動画像を記録する動画像記録装置において一意に決定した登録鍵を作成し、前記動画像記録装置、および動画像を記録する記録媒体に、前記登録鍵を記録して、記録媒体を登録記録媒体として登録し、登録記録媒体の動画像記録状態情報の記録は、登録記録媒体の動画像記録状態情報を取得して、これを前記登録鍵に関連させて前記動画像記録装置に記録し、動画像の記録あるいは編集を行う前に、使用する記録媒体の登録状態を、および使用する記録媒体が登録記録媒体であるときは該登録記録媒体の現在の動画像記録状態情報を、確認し、該登録記録媒体の現在の動画像記録状態情報と、前記動画像記録装置内の前記登録鍵に関連させて保持している動画像記録状態とを比較し、該現在の動画像記録状態情報が、前記登録鍵と関連させて保持している動画像記録状態情報と一致していない場合、該動画像記録装置における前記登録鍵を削除して、登録記録媒体の登録を解除し、動画像の撮影に伴う動画像データを登録記録媒体に記録する際において、記録に伴い新たな動画記録フォルダに動画像を記録する場合、登録記録媒体間で未使用の動画記録フォルダ名に記録するとともに、記録に伴い新たに使用した動画記録フォルダ名を保持し、登録記録媒体間の動画像データ移動あるいは複製処理を行う際は、データ移動先あるいは複製先において、既存のフォルダ名、ファイル名、および管理情報を変更することなく、動画像データ移動あるいは複製処理を行う、ことを特徴としたものである。
【００１７】
さらに、前記動画像記録、移動・複製方法において、前記登録鍵の作成は、登録鍵作成に伴い１つずつ値を加算させる変動番号を作成し、該変動番号を用いて登録鍵を作成する、ことを特徴としたものである。
【００１８】
またさらに、前記動画像記録、移動・複製方法において、前記登録記録媒体の登録は、前記動画像記録装置内に存在する登録鍵と一致する登録鍵が該記録媒体内に記録されていないかを確認し、登録鍵が記録されておらず、かつ該記録媒体内に動画像が記録されていない状態の場合にのみ、登録する、ことを特徴としたものである。
【００１９】
またさらに、前記動画像記録、移動・複製方法において、前記動画像記録状態情報の記録は、記録媒体内の動画像データの総再生時間情報と、動画記録フォルダ数情報と、各動画記録フォルダ名と、各動画記録フォルダ内の動画像データ数とを、前記登録鍵に関連させて、前記動画像記録装置に記録する、ことを特徴としたものである。
【００２０】
またさらに、前記動画像記録、移動・複製方法において、前記登録記録媒体の登録の解除は、前記登録鍵を削除するとともに、該削除する登録鍵に関連させて記録された前記動画像記録状態情報の動画記録フォルダ名を開放して、再使用可能とするとともに、前記削除する登録鍵に関連させて記録された前記動画像記録状態情報を、削除する、ことを特徴としたものである。
【００２１】
またさらに、前記動画像記録、移動・複製方法において、登録記録媒体間の動画像データ移動あるいは複製処理を行う際において、データ移動先あるいは複製先に、同一名のフォルダ名およびファイル名を持つ動画像データが存在する場合、同一動画像が存在すると判断し、該当動画像データの移動あるいは複製処理を行わない、ことを特徴としたものである。
【００２２】
またさらに、前記動画像記録、移動・複製方法において、登録記録媒体間の動画像データ移動あるいは複製処理を行う際において、データ移動先あるいは複製先に、同一名のフォルダ名およびファイル名を持つ動画像データが存在する場合、同一動画像が存在すると判断し、使用者に同一動画像の存在を通知し、その上で使用者による同一動画像データのデータ移動あるいは複製の実行指示があった場合にのみ、当該動画像データの移動あるいは複製処理を行う、ことを特徴としたものである。
【発明の効果】
【００２３】
本発明にかかる動画像記録装置、および動画像記録、移動・複製方法によれば、登録記録媒体間の動画像データは、別の動画像データである場合、フォルダ、ファイル構造が同一となることを回避できるため、移動元（複製元）と、移動先（複製先）双方の記録媒体内のフォルダと、ファイル構成、および管理情報の詳細解析や、再構築を行わずとも、簡易的な同一動画像データの判定により、高速に動画像データの重複保存を回避した動画像データの移動あるいは複製を実現することができる。
【発明を実施するための最良の形態】
【００２４】
以下に、本発明の動画像記録装置、および動画像記録、移動・複製方法の実施の形態を、図面とともに詳細に説明する。
なお、以下の各実施の形態では、説明の対象とする着脱可能な記録媒体にＳＤメモリカードを、また記録媒体に動画像データを書き込む所定の規則にＳＤＶｉｄｅｏ規格を選んでいる。何故ならＳＤメモリカードは、近年着脱可能な記録媒体として、もっとも一般的な記録媒体の１つとして普及しており、動画像の記録のための所定の規則であるＳＤＶｉｄｅｏ規格を備えており、本発明の特徴の説明に適しているからである。
【００２５】
（実施の形態１）
図１は、本発明の実施の形態１による動画像記録装置のブロック図である。図２は、該動画像記録装置における、記録媒体の登録処理を表したチャート図である。図３は、該動画像記録装置における、記録媒体の登録解除処理を表したチャート図である。
【００２６】
図１において、破線矩形で囲った部分は、動画像記録装置本体１０１であり、記録媒体Ａ（１０９）および記録媒体Ｂ（１１０）は、動画像記録装置本体１０１に内蔵の記録媒体であり、記録媒体Ｃ（１１１）は、動画像記録装置本体１０１に着脱可能な記録媒体である。また、記録媒体Ｂ（１１０）、及び記録媒体Ｃ（１１１）は、動画像データを記録する記録媒体であり、記録媒体Ａ（１０９）は、動画像記録装置の各種設定情報を記録保持する記録媒体である。
【００２７】
動画像記録装置本体１０１のシステムが起動した直後において、着脱可能な記録媒体である記録媒体Ｃ（１１１）が、動画像記録装置本体１０１に挿入されていない場合、登録記録媒体確認部１０４において、動画像データを記録するために使用する記録媒体Ｂ（１１０）が、登録記録媒体として登録されているか否かを、確認する。記録媒体が、登録記録媒体として登録されているか否かは、動画像記録装置本体１０１に内蔵の記録媒体Ａ（１０９）と、動画像データを記録するために使用する記録媒体Ｂ（１１０）との双方に同一の登録鍵が記録されていれば、記録媒体Ｂ（１１０）が、登録記録媒体として登録済みであり、上記双方に同一の登録鍵が記録されていなければ、登録記録媒体の登録は、未登録であるものとする（ステップ２０１）。
【００２８】
また、動画像記録装置本体１０１のシステムが起動した直後において、着脱可能な記録媒体である記録媒体Ｃ（１１１）が、動画像記録装置本体１０１に挿入されている場合は、記録媒体Ｂ（１１０）についてのみでなく、記録媒体Ｃ（１１１）についても同じく、登録記録媒体確認部１０４において、登録記録媒体として登録されているか否かを確認する（ステップ２０１）。
【００２９】
また、動画像記録装置本体１０１のシステムが起動した直後でなくても、着脱可能な記録媒体である記録媒体Ｃ（１１１）が、新たに動画像記録装置本体１０１に挿入された直後には、記録媒体Ｃ（１１１）について同じく、登録記録媒体確認部１０４において、登録記録媒体として登録されているか否かを確認する（ステップ２０１）。
【００３０】
以下に、動画像記録装置本体１０１のシステムが起動した直後において、着脱可能な記録媒体である記録媒体Ｃ（１１１）が、動画像記録装置本体１０１に挿入されていない場合について、記録媒体の登録記録媒体としての登録処理に関して説明する。
【００３１】
登録記録媒体確認部１０４において、動画像データを記録するために使用する記録媒体Ｂ（１１０）が、未登録の記録媒体であると確認した場合、未登録記録媒体であるという情報を、記録媒体登録部１０３に通知する。記録媒体登録部１０３は、その通知を受け、記録媒体Ｂ（１１０）内の動画像データの記録状態を確認する（ステップ２０２）。記録媒体登録部１０３において、該記録媒体Ｂ（１１０）に動画像データが記録されていないと確認された場合のみ、記録媒体Ｂ（１１０）の登録記録媒体としての登録を許可し（ステップ２０３）、登録のために必要となる登録鍵の作成指示を、登録鍵作成部１０２に対して、通知する（ステップ２０４）。
【００３２】
登録鍵作成部１０２は、動画像記録装置本体１０１に内蔵の記録媒体Ａ（１０９）内に保持している登録鍵用変動番号を取得した後（ステップ２０５）、取得した登録鍵用変動番号の値を１つ加算した値を用いて（ステップ２０５）、登録鍵情報を作成する。この登録鍵情報としては、同一のものが存在しないようにするため、作成日時情報や、動画像記録装置固有番号（たとえばシリアルナンバーなど）の情報と、前記取得した登録鍵用変動番号を１つ加算した値とを組み合わせた値を作成し、その値を、登録鍵情報とする（ステップ２０６）。登録鍵作成部１０２は、前記作成した登録鍵情報を、登録鍵として、記録媒体登録部１０３に通知する。また、同時に、前記登録鍵用変動番号の値を１つ加算した値を、登録鍵用変動番号として、記録媒体Ａ（１０９）内に記録する（ステップ２０７）。
【００３３】
なお、登録鍵用変動番号は、初期値は１であらかじめ記録媒体Ａ（１０９）内に記録しておき、登録鍵作成処理のたびに新たな値を再記録していくものとする。
【００３４】
記録媒体登録部１０３は、通知された登録鍵を、動画像記録装置本体１０１に内蔵の記録媒体Ａ（１０９）と、動画像データを記録する記録媒体Ｂ（１１０）の双方に記録し、記録媒体Ｂ（１１０）の、登録記録媒体としての登録を行う（ステップ２０８）。また、同時に、該登録記録媒体の登録を、動画像記録状態保存部１０６に通知し、動画像記録状態保存部１０６は、該登録時点での記録媒体Ｂ（１１０）の動画像データの記録状態を、記録媒体Ａ（１０９）内の登録鍵に関連づけて、記録媒体Ａ（１０９）に記録する（ステップ２０９）。
【００３５】
上記一連の処理（図２における、ステップ２０２からステップ２０９の処理）で、記録媒体の登録記録媒体としての登録処理を、完了する。
【００３６】
なお、動画像記録装置本体１０１のシステムが起動した直後、着脱可能な記録媒体である記録媒体Ｃ（１１１）が、動画像記録装置本体１０１に挿入されている場合は、上記一連の処理（図２におけるステップ２０２からステップ２０９の処理）を、上記記録媒体Ｂ（１１０）に対してばかりでなく、記録媒体Ｃ（１１１）に対しても同様に行って、登録記録媒体の登録処理を行う。
【００３７】
また、動画像記録装置本体１０１のシステムが起動した直後でなくても、着脱可能な記録媒体である記録媒体Ｃ（１１１）が、新たに動画像記録装置本体１０１に挿入された直後の場合には、上記一連の処理（図２における、ステップ２０２からステップ２０９の処理）を、記録媒体Ｂ（１１０）に対してでなく、記録媒体Ｃ（１１１）に対して行って、登録記録媒体の登録処理を実施する。
【００３８】
次に、動画像記録装置本体１０１のシステムが起動した直後において、着脱可能な記録媒体である記録媒体Ｃ（１１１）が、動画像記録装置本体１０１に挿入されていない場合について、記録媒体の登録記録媒体としての登録解除処理に関して説明する。
【００３９】
登録記録媒体確認部１０４において、該記録媒体Ｂ（１１０）を、登録済みの登録記録媒体であると確認した場合、さらに、記録媒体Ｂ（１１０）内の記録状態を示す記録状態情報を取得する（ステップ３０２）。また、該登録記録媒体確認部１０４は、前記記録媒体Ｂ（１１０）に記録されている前記登録鍵に関連付けて、前記記録媒体Ａ（１０９）内に保持している、前記記録媒体Ｂ（１１０）内の記録状態を示す記録状態情報を、取得する（ステップ３０３）。
【００４０】
記録媒体登録解除部１０５は、取得した前記記録媒体Ｂ（１１０）内の記録状態情報と、前記記録媒体Ａ（１０９）内の記録状態情報とを比較し（ステップ３０４）、該両記録状態情報が一致している場合は、前記記録媒体Ｂ（１１０）内の動画像データが、動画像記録装置以外の機器による編集（たとえば、ＰＣ接続でのＰＣによる編集）で変更されていないと判断し、該記録媒体Ｂ（１１０）の登録記録媒体としての登録状態を、継続する。
【００４１】
ここで、該両記録状態情報が一致していない場合は、前記記録媒体Ｂ（１１０）内の動画像データが、動画像記録装置以外の機器による編集で変更されていると判断し、前記記録媒体Ａ（１０９）内の、前記記録媒体Ｂ（１１０）に記録されている登録鍵と同一の登録鍵を削除する（ステップ３０５）。かつ、これとともに、同じく該記録媒体Ａ内に、前記登録鍵に関連付けて保持されている記録状態情報、および記録フォルダ情報を、削除する（ステップ３０６、３０７）。
【００４２】
そして、前記一連の処理（図３における、ステップ３０２からステップ３０７の処理）により、前記記録媒体Ｂ（１１０）の登録記録媒体としての登録を解除する記録媒体の登録解除処理が完了する。
【００４３】
なお、前記登録鍵に関連付けて保持されている記録状態情報、および記録フォルダ情報を削除するステップ３０６、３０７の処理により、前記保持、確保されていた記録フォルダ名は、開放され、再度利用可能な状態となる。
【００４４】
ここで、上記図２の登録記録媒体の登録処理におけると同様に、動画像記録装置本体１０１のシステムが起動した直後において、着脱可能な記録媒体である記録媒体Ｃ（１１１）が、動画像記録装置本体１０１に挿入されている場合には、前記一連の処理（図３における、ステップ３０２からステップ３０７の処理）を、記録媒体Ｂ（１１０）に対して行って、記録媒体Ｂ（１１０）の登録解除処理を行うのみでなく、前記記録媒体Ｃ（１１１）に対しても同様の処理を行って、前記記録媒体Ｃ（１１１）についても登録解除処理を実施する。
【００４５】
また、動画像記録装置本体１０１のシステムが起動した直後でなくても、着脱可能な記録媒体である記録媒体Ｃ（１１１）が、新たに動画像記録装置本体１０１に挿入された直後の場合には、前記一連の処理（図３における、ステップ３０２からステップ３０７の処理）を、該記録媒体Ｃ（１１１）に対して行って、該記録媒体Ｃ（１１１）についての登録解除処理を実施する。
【００４６】
次に、撮影に伴う動画像データの記録処理に関して説明する。まず、本実施の形態１において、記録媒体に動画像データを書き込む所定の規則に選択しているＳＤＶｉｄｅｏ規格がどのようなファイル／フォルダ構造を有しているか、またどのような管理情報を保有しているかについて説明する。
【００４７】
図４は、ＳＤＶｉｄｅｏ規格が有しているファイル／フォルダ構造図を示す。
図４において、ＳＤＶｉｄｅｏ規格のフォルダ構成では、ＲＯＯＴフォルダ４０１の直下には、ＳＤ＿ＶＩＤＥＯというサブフォルダ４０２が配置される。ＳＤ＿ＶＩＤＥＯフォルダ４０２は、動画像データ等のコンテンツを記録するフォルダである。また、ＳＤ＿ＶＩＤＥＯフォルダ４０２下には、ＭＧＲ＿ＩＮＦＯというＳＤ＿ＶＩＤＥＯフォルダ４０２下の全体のコンテンツの管理情報ファイルを格納するフォルダ４０３と、ＰＲＧ００１、ＰＲＧ００３、ＰＲＧ００５・・・というコンテンツを格納するプログラムフォルダ４０４、４０５、４０６・・・（以下ＰＲＧフォルダと表す）とが、配置される。
【００４８】
また、ＭＧＲ＿ＩＮＦＯフォルダ４０３下には、ＳＤ＿ＶＩＤＥＯフォルダ４０２下の全体の管理情報ファイルであるＭＧＲ＿ＤＡＴＡファイル４０７と、ＳＤ＿ＶＩＤＥＯフォルダ４０２下のすべてのプログラムフォルダの管理情報ファイルであるＰＲＧ＿ＭＧＲファイル４０８と、プレイリスト管理情報ファイルであるＰＬＳＴ＿ＭＧＲファイル４０９とが、配置される。
【００４９】
また、ＰＲＧ００１プログラムフォルダ４０４下には、ＰＲＧ００１プログラムフォルダ４０４下のすべてのコンテンツ管理情報ファイルであるＰＲＧ００１.ＰＧＩファイル４１０（以下ＰＧＩファイルと表す）と、動画像データファイルであるＭＯＶ００１.ＭＯＤファイル４１１（以下ＭＯＤファイルと表す）と、動画像データファイルであるＭＯＶ００１.ＭＯＤファイル４１１の管理情報ファイルであるＭＯＶ００１.ＭＯＩファイル４１２（以下ＭＯＩファイルと表す）とが、配置される。
【００５０】
また、ＰＲＧフォルダには、１つのＰＧＩファイルと、複数のＭＯＤファイルと、複数のＭＯＩファイルとが、配置可能であり、１つのＭＯＤファイルには、拡張子を除くファイル名が同一のＭＯＩファイルが、必ず配置される。
【００５１】
また、管理情報として、ＭＧＲ＿ＤＡＴＡファイル４０７には、ＳＤ＿ＶＩＤＥＯフォルダ４０２下のファイル／フォルダ構成、管理情報、およびコンテンツが対応する規則（規格）のバージョン情報や、記録媒体に関するテキスト情報などが記録されており、ＰＲＧ＿ＭＧＲファイル４０８には、ＳＤ＿ＶＩＤＥＯフォルダ４０２下のすべてのプログラムフォルダに記録されている動画像データの総再生時間や、総プログラムフォルダ数、及び各プログラムの概要情報が、記録されており、またＰＧＩファイル４１０には、当該プログラムフォルダ下のコンテンツの音声属性情報、映像属性情報等のプログラムの詳細情報が、記録されており、また、ＭＯＩファイル４１２には、該当動画像データファイルの記録日時情報と、記録時間等の情報が、記録されている。
【００５２】
次に、撮影に伴う動画像データの記録処理に関して説明する。なお、下記説明では、動画像データを記録する記録媒体に、記録媒体Ｂ（１１０）を用いる。
【００５３】
図５は、本実施の形態１における、撮影に伴う動画像データの記録処理を表したチャート図である。
【００５４】
撮影を開始すると、動画像データ記録情報管理部１１２において、撮影に伴う動画像データを記録するフォルダを、まず決定する。そのために、まず記録媒体Ａ（１０９）内に保持し確保している動画記録フォルダ情報を取得する（ステップ５０１）。ここで、該記録媒体Ａ（１０９）内に保持し確保している動画記録フォルダ情報は、動画記録フォルダ名と、該動画記録フォルダ名のフォルダをその中に作成した登録記録媒体の登録鍵情報とにより構成される。
【００５５】
撮影に伴う動画像データの記録において、該登録記録媒体とは別の登録記録媒体で作成された動画記録フォルダ名のフォルダには、記録を禁止する。そのための判断材料として、該取得した確保している動画記録フォルダ情報における登録鍵情報を用いているものである。
【００５６】
すなわち、該動画記録フォルダ情報における登録鍵情報が、自らの登録鍵と一致しない場合は、当該動画記録フォルダ名のフォルダが、別の登録記録媒体で作成されたものとなる。これらの情報を用いて、以前の撮影に伴う動画像データの記録において使用したフォルダに記録するか、それとも新規フォルダを作成して記録するかを、決定する（ステップ５０２）。
【００５７】
なおたとえば、動画像記録装置において、撮影日時が変更した場合には新規フォルダに記録する仕様であれば、以前の撮影に伴う動画像データの記録において使用したフォルダの作成日時と、現在の日時とを比較し、一致していれば、以前の撮影に伴う動画像データの記録において使用したフォルダに記録し、一致していなければ、新規フォルダを作成して記録する。
【００５８】
以前の撮影に伴う動画像データの記録において使用したフォルダに記録すると決定した場合、同フォルダ下に、動画像データの記録を開始する（ステップ５０３）。また、新規フォルダを作成して記録すると決定した場合、記録媒体Ｂ（１１０）が登録記録媒体か否かを、確認する（ステップ５０４）。
【００５９】
なお、記録媒体が登録記録媒体であるかは、上述した図２におけるステップ２０２からステップ２０９による登録処理で該記録媒体が登録記録媒体として登録されたか、および、図３におけるステップ３０２からステップ３０７による登録解除処理で登録解除がなされなかったかで、確認することができる。
【００６０】
記録媒体Ｂ（１１０）が登録記録媒体ではないと確認した場合、すなわち未登録記録媒体であると確認した場合、記録媒体Ｂ（１１０）で使用していないフォルダを検索し、使用していないフォルダを発見して、新規記録フォルダを決定する（ステップ５０５）。そして、決定した新規記録フォルダ下に、動画像データの記録を開始する（ステップ５０６）。
【００６１】
また、記録媒体Ｂ（１１０）が登録記録媒体であると確認した場合、記録媒体Ａ（１０９）内に保持し確保している記録フォルダ名以外の、記録媒体Ｂ（１１０）内の記録フォルダを検索し、使用していないフォルダを発見して、新規記録フォルダを決定する（ステップ５０７）。そして、決定した新規記録フォルダ下に、動画像データの記録を開始する（ステップ５０８）。その後に、決定した新規記録フォルダ名と、記録媒体Ｂ（１１０）の登録鍵を、記録媒体Ａ（１０９）内に、保持し確保する（ステップ５０９）。
【００６２】
これはこのようにして、記録媒体Ａ（１０９）内に登録記録媒体間で使用している記録フォルダ名を、順次、保持し確保していくためである。
【００６３】
そして、撮影が終了すると、動画像データの記録も終了し（ステップ５１０）、該記録媒体Ｂ（１１０）内の記録後の記録状態情報を、記録媒体Ａ（１０９）に記録する（ステップ５１１）。
【００６４】
なお、記録媒体Ａ（１０９）への記録状態情報の記録は、該記録媒体Ａ（１０９）内に、記録媒体Ｂ（１１０）の登録鍵に関連付けて記録されている記録状態情報を、更新する形で記録する。また、前記記録状態情報は、記録媒体Ｂ（１１０）のＰＲＧ＿ＭＧＲファイル４０８から抽出した情報である動画像データの総再生時間情報と、動画記録フォルダ数情報と、各動画記録フォルダ名と、各動画記録フォルダ内の動画像データ数とにより、構成される。こうして、撮影に伴う動画像データの記録を完了する。
【００６５】
すなわち、上記一連の処理（図５における、ステップ５０１からステップ５１１の処理）により、撮影に伴う動画像データの記録処理と、登録記録媒体間で使用する動画記録フォルダ情報を保持し確保する処理とを、完了する。
【００６６】
なお、動画像データを記録する記録媒体に、記録媒体Ｃ（１１１）を用いる場合であれば、上記一連の処理（図５におけるステップ５０１からステップ５１１の処理）を、記録媒体Ｂ（１１０）に対してでなく、記録媒体Ｃ（１１１）に対して行って、撮影に伴う動画像データの記録処理と、登録記録媒体間で使用する動画記録フォルダ情報を保持し確保する処理とを、実施する。
【００６７】
このような構成によって、登録記録媒体間においては、重複した動画記録フォルダ名の使用を回避して、撮影に伴う動画像データの記録を実現することができる。
【００６８】
次に、記録媒体Ａ（１０９）内の動画像記録装置の各種設定情報と、記録媒体Ｂ（１１０）、及び記録媒体Ｃ（１１１）内の動画像データ、および各種管理情報に関して、具体的な例を挙げて説明する。
【００６９】
図６は、記録媒体Ａ（１０９）内のデータ構造図である。
図７は、記録媒体Ｂ（１１０）に、２つの動画記録フォルダと、計３つの動画像データが存在する際の、具体的なデータ構造図である。
図８は、記録媒体Ｃ（１１１）内に、１つの動画記録フォルダと、計３つの動画像データが存在する際の具体的なデータ構造図である。
【００７０】
図６において、登録用変動番号情報６０１には、登録鍵作成部１０２において作成する登録鍵用の登録用変動番号を格納する。なお、登録用変動番号情報６０１の初期値は、１とする。
【００７１】
また、登録鍵６０２、登録鍵６０３は、登録記録媒体として登録している記録媒体の登録鍵情報であり、記録状態情報６０４、及び６０９は、それぞれ、登録鍵６０２をもつ記録媒体の記録状態情報と、登録鍵６０３をもつ記録媒体の記録状態情報をあらわす。
【００７２】
また、記録状態情報６０４、及び６０９には、登録記録媒体内の総再生時間６０５、登録記録媒体内の動画記録フォルダ数６０６、及び、動画記録フォルダ名６０７、および動画記録フォルダ名６０７のフォルダ内に存在する動画像データ数６０８により、構成される動画記録フォルダ情報を格納する。
【００７３】
また、確保動画記録フォルダ情報６１１には、登録記録媒体間すべてで使用中の動画記録フォルダ名６１２と、当該動画記録フォルダ名のフォルダを作成した登録記録媒体の登録鍵情報６１３を格納する。
【００７４】
なお、確保動画記録フォルダ情報６１１内に格納している動画記録フォルダ名６１２は、記録状態情報６０４、及び６０９内の動画記録フォルダ名６０７を、すべて集めたものに一致する。
【００７５】
図７において、ＭＧＲ＿ＤＡＴＡファイル７０６内には、記録媒体に関するテキスト情報領域７１１が存在する。よって、この記録媒体に関するテキスト情報領域７１１に、記録媒体の登録を表す登録鍵情報を、テキスト情報として格納する。
【００７６】
また、ＰＲＧ＿ＭＧＲファイル７０７には、記録媒体Ｂ（１１０）内に記録されている動画像データの総再生時間７１２と、記録媒体Ｂ（１１０）内に記録されているプログラム数７１３が格納される。なお、プログラム数は、記録媒体Ｂ（１１０）内で使用されている動画記録フォルダ数に一致する。
【００７７】
また、ＰＲＧ＿ＭＧＲファイル７０７には、プログラム１フォルダ７０４の概要情報７１４、及びプログラム３フォルダ７０５の概要情報７１９が、格納されている。
【００７８】
プログラム１フォルダ７０４の概要情報７１４には、プログラム１フォルダのフォルダ名の情報であるフォルダ番号が含まれるプログラムＩＤ７１５、プログラム１内の動画像データの総再生時間７１６、属性情報７１７、および、プログラム１内の動画像データ数７１８が、格納される。なお、図７におけるプログラム１内の動画像データ数７１８には、２が格納されることとなる。
【００７９】
同様に、プログラム３フォルダ７０５の概要情報７１９には、プログラム３フォルダのフォルダ名の情報であるフォルダ番号が含まれるプログラムＩＤ７２０、プログラム３内の動画像データの総再生時間７２１、属性情報７２２、および、プログラム１内の動画像データ数７２３が、格納される。なお、図７におけるプログラム３内の動画像データ数７２３には、１が格納されることとなる。
【００８０】
したがって、記録媒体Ｂ（１１０）が登録記録媒体（１）である場合、前記登録鍵６０２と同一の登録鍵が、記録媒体に関するテキスト情報領域７１１に格納され、記録媒体Ａ（１０９）における登録鍵６０２に関連付けた記録状態情報６０４には、記録媒体Ｂ（１１０）の記録状態情報を記録することとなり、総再生時間６０５には、総再生時間７１２が、動画記録フォルダ数６０６には、プログラム数７１３が、動画記録フォルダ名６０７には、プログラムＩＤ７１５と７２０から抽出したフォルダ番号が、また動画像データ数６０８には、動画像データ数７１８と７２３が、格納されることとなる。
【００８１】
また、記録媒体Ａ（１０９）における、確保動画記録フォルダ情報６１１には、動画記録フォルダ名６０７に格納されているプログラムＩＤ７１５と７２０から抽出したフォルダ番号が、格納されることとなる。
【００８２】
図８において、ＭＧＲ＿ＤＡＴＡファイル８０５の記録媒体に関するテキスト情報領域８１０に、記録媒体の登録を表す登録鍵情報を、テキスト情報として格納する。
【００８３】
また、ＰＲＧ＿ＭＧＲファイル８０６には、記録媒体Ｃ（１１１）内に記録されている動画像データの総再生時間８１１と、記録媒体Ｃ（１１１）内に記録されているプログラム数８１２が、格納される。なお、プログラム数は、記録媒体Ｃ（１１１）内で使用されている動画記録フォルダ数に一致する。
【００８４】
また、プログラム２フォルダ８０４の概要情報８１３が格納され、プログラム２フォルダ８０４の概要情報８１３には、プログラム２フォルダのフォルダ名の情報であるフォルダ番号が含まれるプログラムＩＤ８１４、プログラム２内の動画像データの総再生時間８１５、属性情報８１６、および、プログラム２内の動画像データ数８１７が、格納される。なお、図８におけるプログラム２内の動画像データ数８１７には、３が格納されることとなる。
【００８５】
したがって、記録媒体Ｃ（１１１）が登録記録媒体（２）である場合、登録鍵６０３と同一の登録鍵が、記録媒体に関するテキスト情報領域８１０に格納され、記録媒体Ａ（１０９）における登録鍵６０３に関連付けた記録状態情報６０９には、記録媒体Ｃ（１１１）の記録状態情報を記録することとなり、記録状態情報６０９の総再生時間には、総再生時間８１１が、記録状態情報６０９の動画記録フォルダ数には、プログラム数８１２が、記録状態情報６０９の動画記録フォルダ名には、プログラムＩＤ８１４から抽出したフォルダ番号が、また記録状態情報６０９の動画像データ数には、動画像データ数８１７が格納されることとなる。
【００８６】
また、記録媒体Ａ（１０９）における、確保動画記録フォルダ情報６１１には、記録状態情報６０９の動画記録フォルダ名に格納されているプログラムＩＤ８１４から抽出したフォルダ番号も、格納されることとなる。
【００８７】
次に、記録媒体間の動画像データの移動、および複製処理の動作について説明する。なお、下記説明では、動画像データの移動、および複製は、記録媒体Ｂ（１１０）から記録媒体Ｃ（１１１）へ行うものとする。
【００８８】
図９は、本実施の形態１における、記録媒体Ｂ（１１０）から記録媒体Ｃ（１１１）への動画像データの移動、および複製処理を表したチャート図である。
【００８９】
図１０は、本実施の形態１における、動画像データの移動、および複製先の記録媒体Ｃ（１１１）が未登録記録媒体であった場合の、動画像データの移動、および複製処理を表したチャート図である。
【００９０】
図１１（ａ）および図１１（ｂ）は、本実施の形態１における、動画像データの移動、および複製先の記録媒体Ｃ（１１１）が、登録記録媒体であり、動画像データの移動、および複製元の記録媒体Ｂ（１１０）が、未登録記録媒体である場合の、動画像データの移動および複製処理を表したチャート図である。
【００９１】
図１２は、動画像データの移動、および複製元の記録媒体Ｂ（１１０）と、移動、および複製先の記録媒体Ｃ（１１１）の双方が、登録記録媒体であった場合の、動画像データの移動、および複製処理を表したチャート図である。
【００９２】
図１に示される構成において、ユーザーより記録媒体Ｂ（１１０）から記録媒体Ｃ（１１１）への、動画像データの移動、および複製の指示が、操作入力部１１４を介して操作制御部１１５に伝えられたとする。
【００９３】
操作制御部１１５は、記録媒体Ｂ（１１０）から記録媒体Ｃ（１１１）への動画像データの移動、および複製命令を、記録媒体間データ処理部１０７に発行する。記録媒体間データ処理部１０７は、記録媒体Ｂ（１１０）および記録媒体Ｃ（１１１）の双方が、登録記録媒体か否かを、登録記録媒体確認部１０４に問い合わせて確認する（ステップ９０１）。
【００９４】
記録媒体Ｂ（１１０）および記録媒体Ｃ（１１１）の双方が、登録記録媒体と確認された場合、登録記録媒体から登録記録媒体への動画像データの移動、および複製処理を実施する（ステップ９０２）。
【００９５】
なお、登録記録媒体から登録記録媒体への動画像データの移動、および複製処理（処理iii））に関する詳細は、後ほど図１２を用いて説明する。
【００９６】
また、記録媒体Ｂ（１１０）、および記録媒体Ｃ（１１１）のいずれか、あるいは双方とも、未登録記録媒体と確認された場合、移動、および複製先の記録媒体Ｃ（１１１）が、登録記録媒体か否かを、登録記録媒体確認部１０４に問い合わせて確認する（ステップ９０３）。
【００９７】
記録媒体Ｃ（１１１）が登録記録媒体と確認された場合、未登録記録媒体から登録記録媒体への動画像データの移動、および複製処理を実施する（ステップ９０４）。
【００９８】
なお、未登録記録媒体から登録記録媒体への動画像データの移動、および複製処理（処理ii））に関する詳細は、後ほど図１１を用いて説明する。
【００９９】
記録媒体Ｃ（１１１）が未登録記録媒体と確認された場合、未登録記録媒体への動画像データ移動、および複製処理を実施する（ステップ９０５）。
【０１００】
なお、未登録記録媒体への動画像データの移動、および複製処理（処理i））に関する詳細は、後ほど図１０を用いて説明する。
【０１０１】
上記のように、記録媒体間の動画像データの移動、および複製処理は、記録媒体の登録状況によって、上記３つの処理に分割される。以下、それぞれの処理に関して説明する。
【０１０２】
処理i）
まず、未登録記録媒体への動画像データの移動、および複製処理に関して、図１０を用いて説明する。
【０１０３】
登録記録媒体確認部１０４に問い合わせた結果、記録媒体Ｃ（１１１）が未登録記録媒体であると確認された場合、記録媒体間データ処理部１０７は、まず指定された動画像データが、移動複製先の記録媒体Ｃ（１１１）にすでに存在するものか否かを確認する。
【０１０４】
記録媒体間データ処理部１０７内の同一動画像データ確認部１０８は、そのために、記録媒体Ｃ（１１１）内の動画像データに関する管理情報ファイルであるＰＲＧ＿ＭＧＲファイルと、全ＰＧＩファイルと、全ＭＯＩファイルを、詳細に解析する（ステップ１００１）。そののち、移動複製対象の動画像データの管理情報ファイルであるＭＯＩファイルをも、詳細に解析する（ステップ１００２）。
【０１０５】
解析した記録媒体Ｃ（１１１）の動画像データに関する管理情報ファイル、および、移動複製対象の動画像データの管理情報ファイルであるＭＯＩファイルの内容から、移動複製対象の動画像データが、移動複製先の記録媒体Ｃ（１１１）にすでに存在するものか否かを、確認する（ステップ１００３）。
【０１０６】
なお、この確認の方法は、特許文献１に記載されているように、管理情報ファイルにおける動画像データの属性情報や、記録日時情報や、記録時間情報を比較し、一致しているものが存在すれば、移動複製対象の動画像データが、移動複製先の記録媒体Ｃ（１１１）にすでに存在し、一致しているものが存在しなければ、移動複製対象の動画像データが移動複製先の記録媒体Ｃ（１１１）に存在しない、とするものである（確認の方法に関する詳細は、特許文献１参照。）
【０１０７】
上記の方法により、同一動画像データ確認部１０８により、移動複製対象の動画像データが、移動複製先の記録媒体Ｃ（１１１）内にすでに存在するものと確認された場合は、移動複製対象の動画像データの移動複製処理を、キャンセルする（ステップ１００４）。
【０１０８】
また同一動画像データ確認部１０８により、移動複製対象の動画像データが移動・複製先の記録媒体Ｃ（１１１）に存在しないと確認された場合は、移動複製対象の動画像データを、移動複製処理対象としてセットする（ステップ１００５）。
【０１０９】
すべての移動複製対象の動画像データに関して、移動複製先の記録媒体Ｃ（１１１）にすでに存在するものか否かの確認が、完了したかを確認し（ステップ１００６）、完了していない場合、次の移動複製対象の動画像データの管理情報ファイルであるＭＯＩファイルを詳細に解析し（ステップ１００７）、解析した記録媒体Ｃ（１１１）の動画像データに関する管理情報ファイル、および、移動複製対象の動画像データの管理情報ファイルであるＭＯＩファイルの内容から、移動複製対象の動画像データが、移動複製先の記録媒体Ｃ（１１１）内に、すでに存在するものか否かを確認する（ステップ１００３）。
【０１１０】
すべての移動複製対象の動画像データに関して、移動複製先の記録媒体Ｃ（１１１）内に、すでに存在するものか否かの確認が完了するまで、ステップ１００３からステップ１００７までの処理を繰り返す。
【０１１１】
すべての移動複製対象の動画像データに関して、移動複製先の記録媒体Ｃ（１１１）内に、すでに存在するものか否かの確認が完了した場合、記録媒体間データ処理部１０７は、記録媒体Ｃ（１１１）が使用しているフォルダ名以外のフォルダを検索し、検索したフォルダを、移動複製用記録フォルダに決定し、新規に作成する（ステップ１００８）。
【０１１２】
なお、記録媒体Ｃ（１１１）が使用しているフォルダ名は、ステップ１００１において解析したＰＧＲ＿ＭＧＲファイル内の情報であるプログラムＩＤ情報より取得できる。これは、プログラムＩＤ内には、プログラム番号が含まれており、プログラムが記録されるフォルダ名の数値部分は、プログラム番号に一致するためである。
【０１１３】
次に、ステップ１００５において、移動複製処理対象にセットされた動画像データファイルと、その動画像データファイルの管理情報ファイルであるＭＯＩファイルのファイル名とを、割り振りなおす（ステップ１００９）。これは、移動複製対象の動画像データ群が、移動複製元の記録媒体Ｂ（１１０）内において、別のフォルダ下に存在する場合、同一のファイル名を持ったものが存在する可能性があるためである。
【０１１４】
次に、新たな名称をもつ、動画像データファイルと、その動画像データファイルの管理情報ファイルであるＭＯＩファイルを、前記ステップ１００８で作成したフォルダ下に移動複製する（ステップ１０１０）。
【０１１５】
次に、移動複製した動画像データファイルの管理情報ファイルであるＭＯＩファイル群の情報より、プログラム情報であるＰＧＩファイル情報を作成し、ＰＧＩファイルを作成して、前記ステップ１００８で作成したフォルダ下に記録する（ステップ１０１１）。
【０１１６】
最後に、ステップ１０１１で作成したＰＧＩファイルの情報をＰＧＲ＿ＭＧＲファイルの情報に反映させてＰＧＲ＿ＭＧＲファイルの情報を修正し、ＰＧＲ＿ＭＧＲファイルを更新して（ステップ１０１２）、未登録記録媒体への動画像データの移動、および複製処理を完了する。
【０１１７】
なお、処理が動画像データの移動である場合は、移動先の記録媒体Ｃ（１１１）に動画像データを記録した後に、移動元の記録媒体Ｂ（１１０）から移動対象の動画像データを削除するとともに、移動元のフォルダ下に存在する動画像データファイルの管理情報ファイルであるＭＯＩファイル群の情報より、プログラム情報であるＰＧＩファイル情報を修正し、修正したＰＧＩファイルの情報を反映させてＰＧＲ＿ＭＧＲファイルの情報を修正し、更新する。
【０１１８】
処理ii）
次に、未登録記録媒体から登録記録媒体への動画像データの移動、および複製処理に関して、図１１（ａ）および図１１（ｂ）を用いて説明する。
【０１１９】
登録記録媒体確認部１０４に問い合わせた結果、記録媒体Ｂ（１１０）が、未登録記録媒体、記録媒体Ｃ（１１１）が、未登録記録媒体と確認された場合、記録媒体間データ処理部１０７は、まず指定された動画像データが、移動複製先の記録媒体Ｃ（１１１）にすでに存在するものか否かを確認する。これは、記録媒体間データ処理部１０７内の同一動画像データ確認部１０８においてその確認を行うが、その手順は、図１０を用いて上記で説明したステップ１００１から１００７と同一であり、その説明は省略する。
【０１２０】
すべての移動複製対象の動画像データに関して、移動複製先の記録媒体Ｃ（１１１）内に、すでに存在するものか否かの確認が完了した場合、記録媒体間データ処理部１０７は、記録媒体Ａ（１０９）に保持しているフォルダ名以外のフォルダを検索し、検索したフォルダを、移動複製用記録フォルダに決定し、新規に作成する（ステップ１１０８）。
【０１２１】
また、決定した新規フォルダ名と、記録媒体Ｃ（１１１）の登録鍵を、記録媒体Ａ（１０９）に保持する（ステップ１１０９）。これは、記録媒体Ｃ（１１１）が登録記録媒体であるため、未登録記録媒体からの動画像データの移動、および複製は、記録媒体Ｃ（１１１）への撮影に伴う動画像データの記録と同等の管理を行い、以後、登録記録媒体間で管理していくためである。
【０１２２】
次に、ステップ１１０５（図１０におけるステップ１００５）において、移動複製処理対象にセットされた動画像データファイルと、その動画像データファイルの管理情報ファイルであるＭＯＩファイルのファイル名とを、割り振りなおす（ステップ１１１０）。
【０１２３】
次に、新たな名称をもつ、動画像データファイルと、その動画像データファイルの管理情報ファイルであるＭＯＩファイルを、前記ステップ１１０８で作成したフォルダ下に、移動複製する（ステップ１１１１）。
【０１２４】
次に、移動複製した動画像データファイルの管理情報ファイルであるＭＯＩファイル群の情報より、プログラム情報であるＰＧＩファイル情報を作成し、ＰＧＩファイルを作成して、記録媒体Ｃ（１１１）のステップ１１０８で作成したフォルダ下に、記録する（ステップ１１１２）。
【０１２５】
次に、ステップ１１１２で作成したＰＧＩファイルの情報をＰＧＲ＿ＭＧＲファイルの情報に反映させてＰＧＲ＿ＭＧＲファイルの情報を修正して、ＰＧＲ＿ＭＧＲファイルを更新し（ステップ１１１３）、最後に、移動複製後の記録媒体Ｃ（１１１）の記録状態情報を、登録鍵に関連付けて記録媒体Ａ（１０９）に記録し（ステップ１１１４）、未登録記録媒体から登録記録媒体への動画像データの移動、および複製処理を完了する。
【０１２６】
なお、処理が動画像データの移動である場合は、上記処理i）の場合と同様、移動先の記録媒体Ｃ（１１１）に動画像データを記録した後に、移動元の記録媒体Ｂ（１１０）から移動対象の動画像データを削除するとともに、移動元のフォルダ下に存在する動画像データファイルの管理情報ファイルであるＭＯＩファイル群の情報より、プログラム情報であるＰＧＩファイル情報を修正し、修正したＰＧＩファイルの情報を反映させてＰＧＲ＿ＭＧＲファイルの情報を修正し、更新する。
【０１２７】
処理iii）
最後に、登録記録媒体から登録記録媒体への動画像データの移動、および複製処理に関して、図１２を用いて説明する。
【０１２８】
登録記録媒体確認部１０４に問い合わせた結果、記録媒体Ｂ（１１０）と、記録媒体Ｃ（１１１）の双方が、登録記録媒体と確認された場合、記録媒体間データ処理部１０７は、まず、指定された動画像データが、移動複製先の記録媒体Ｃ（１１１）内にすでに存在するものか否かを確認する。
【０１２９】
記録媒体間データ処理部１０７内の同一動画像データ確認部１０８は、そのために、移動複製対象の動画像データのフォルダ名と、ファイル名を取得する（ステップ１２０１）。
【０１３０】
次に、記録媒体Ｃ（１１１）内に、同一のフォルダ名、かつファイル名の動画像データが存在するかを確認する（ステップ１２０２）。移動複製対象の動画像データのフォルダ名と、ファイル名と、同一のフォルダ名、かつファイル名の動画像データが、記録媒体Ｃ（１１１）内に存在すれば、移動複製対象の動画像データが、移動複製先の記録媒体Ｃ（１１１）にすでに存在し、存在しなければ、移動複製対象の動画像データが、移動複製先の記録媒体Ｃ（１１１）に存在しないとする。
【０１３１】
上記ステップ１００１からステップ１０１２に表す未登録記録媒体への動画像データの移動、および複製処理、及びステップ１１０１からステップ１１１４に表す未登録記録媒体から登録記録媒体への動画像データの移動、および複製処理では、動画像データに関する管理情報ファイルを、詳細に解析し、指定された動画像データが、移動複製先の記録媒体Ｃ（１１１）内に、すでに存在するものか否かを確認する必要があるが、登録記録媒体から登録記録媒体への動画像データの移動、および複製処理においては、この動画像データに関する管理情報ファイルを、詳細に解析する処理は不要である。
【０１３２】
本実施の形態１においては、すでに述べたように、複数の登録記録媒体にわたる動画像データの管理により、登録記録媒体間においては、重複した動画記録フォルダ名の使用を回避して、撮影に伴う動画像データの記録を実現している。
【０１３３】
すなわち、登録記録媒体間では、別の動画像データを、同一のフォルダ名、かつファイル名で記録することはありえないため、動画像データのフォルダ名と、ファイル名のみにより、同一動画像データが存在するか否かを、確認することができる。
【０１３４】
上記の方法により、同一動画像データ確認部１０８により、移動複製対象の動画像データが、移動複製先の記録媒体Ｃ（１１１）にすでに存在すると確認された場合は、移動複製対象の動画像データの移動複製処理を、キャンセルする（ステップ１２０３）。
【０１３５】
また、同一動画像データ確認部１０８により、移動複製対象の動画像データが、移動複製先の記録媒体Ｃ（１１１）に存在しないと確認された場合は、移動複製対象の動画像データを、移動複製処理対象としてセットする（ステップ１２０４）。
【０１３６】
すべての移動複製対象の動画像データに関して、移動複製先の記録媒体Ｃ（１１１）内に、すでに存在するか否かの確認が完了したかを確認し（ステップ１２０５）、完了していない場合、次の移動複製対象の動画像データのフォルダ名と、ファイル名を取得し（ステップ１２０６）、記録媒体Ｃ（１１１）内に、同一のフォルダ名、かつファイル名の動画像データが存在するかを確認する（ステップ１２０２）。
【０１３７】
すべての移動複製対象の動画像データに関して、移動複製先の記録媒体Ｃ（１１１）にすでに存在するか否かの確認が完了するまで、ステップ１２０２からステップ１２０６までの処理を繰り返す。
【０１３８】
すべての移動複製対象の動画像データに関して、移動複製先の記録媒体Ｃ（１１１）内に、すでに存在するものか否かの確認が完了した場合、記録媒体間データ処理部１０７は、移動複製対象の動画像データと、その動画像データファイルの管理情報ファイルであるＭＯＩファイル、および移動複製対象の動画像データが存在するフォルダ下のＰＧＩファイルを、フォルダ名と、ファイル名を変更せずに、フォルダ毎に移動複製する（ステップ１２０７）。
【０１３９】
その後、移動複製元のフォルダ下と、移動複製先のフォルダ下の動画像ファイルの数が、一致するかを確認し（ステップ１２０８）、一致しない場合は、移動複製先のフォルダ下に存在する動画像データファイルの管理情報ファイルであるＭＯＩファイル群の情報より、プログラム情報であるＰＧＩファイル情報を修正し、記録する（ステップ１２０９）。
【０１４０】
最後に、ステップ１２０９で修正したＰＧＩファイルの情報をＰＧＲ＿ＭＧＲファイルの情報に反映させてＰＧＲ＿ＭＧＲファイルの情報を修正し、ＰＧＲ＿ＭＧＲファイルを更新して（ステップ１２１０）、登録記録媒体間の動画像データの移動、および複製処理を完了する。
【０１４１】
なお、処理が動画像データの移動である場合は、上記処理i）、ii）の場合と同様、移動先の記録媒体Ｃ（１１１）に動画像データを記録した後に、移動元の記録媒体Ｂ（１１０）から移動対象の動画像データを削除するとともに、移動元のフォルダ下に存在する動画像データファイルの管理情報ファイルであるＭＯＩファイル群の情報より、プログラム情報であるＰＧＩファイル情報を修正し、修正したＰＧＩファイルの情報を反映させてＰＧＲ＿ＭＧＲファイルの情報を修正し、更新する。
【０１４２】
また、上記登録記録媒体から登録記録媒体への動画像データの移動、および複製処理において、同一動画像データ確認部１０８により、移動複製対象の動画像データが、移動複製先の記録媒体Ｃ（１１１）にすでに存在すると確認された場合に、同一動画像データ確認部１０８は、操作制御部１１５を介して、表示部１１３に、同一動画像の存在可能性通知を表示するよう通知し、表示部１１３に、同一動画像が、移動複製対象の動画像データに指定されている可能性があることを表示し、その上で、該当の動画像データの移動複製を実行するか否かをユーザーに問う表示を行い、この表示に対し、ユーザーが、該当動画像データの移動複製を実行せよと、操作入力部１１４を介して指示した場合は、移動複製対象の動画像データの移動複製処理をキャンセルせず、移動複製対象の動画像データを、移動複製処理対象としてセットして、移動複製処理を実施する構成をとってもよい。
【０１４３】
これは、いったん動画像データを、別登録記録媒体に複製した後、一方の動画像データのトリミング等の編集を行い、同一ファイル名でありながら一部内容の異なった動画像データを、元の状態に上書き複製したり、元の動画像データを、トリミング等の編集処理後の動画像データで上書き複製したりする機能を提供する場合に、構築することのできる構成である。
【０１４４】
また、上記で説明した記録媒体間の動画像データ移動、および複製処理において、動画像データの移動、および複製は、記録媒体Ｂ（１１０）から記録媒体Ｃ（１１１）へ行ったが、記録媒体Ｃ（１１１）から記録媒体Ｂ（１１０）への動画像データの移動、および複製の処理を行うも同様であり、上記で説明した記録媒体間の動画像データの移動、および複製処理において、記録媒体Ｂ（１１０）を、記録媒体Ｃ（１１１）に、記録媒体Ｃ（１１１）を、記録媒体Ｂ（１１０）に、置き換えるようにすればよい。
【０１４５】
また、上記の説明では、記録媒体Ａ（１０９）、および記録媒体Ｂ（１１０）は、動画像記録装置本体１０１に内蔵の記録媒体であり、別の記録媒体として説明したが、記録媒体Ａ（１０９）に記録する内容を、記録媒体Ｂ（１１０）の一部の領域に確保することで、動画像記録装置本体１０１に内蔵の記録媒体を、記録媒体Ｂ（１１０）のみにしてもよい。
【０１４６】
以上のように、本実施の形態１による動画像記録装置、および動画像記録、移動・複製方法によれば、登録記録媒体間においては、重複した動画記録フォルダ名の使用を回避して、撮影に伴う動画像データの記録、移動・複製を行うようにしたので、動画像データのフォルダ名と、ファイル名のみの確認で、動画像データの同一確認を行うことができ、移動元（複製元）、と移動先（複製先）双方の記録媒体内のフォルダと、ファイル構成、および管理情報の詳細解析や、再構築を行わずに、高速に、動画像データの重複保存を回避した、動画像データの移動や、複製を、実現することができる効果が得られる。
【産業上の利用可能性】
【０１４７】
本発明にかかる動画像記録方法、および動画像記録装置は、登録記録媒体間において、移動元（複製元）と、移動先（複製先）の双方の詳細解析を行わず、高速に、動画像データの重複保存を回避した、動画像データの移動・複製ができる機能を有し、複数の記録媒体間で動画像データの移動や、複製を行う装置等に有用である。
【図面の簡単な説明】
【０１４８】
【図１】本発明の実施の形態１における動画像記録装置のブロック図
【図２】本発明の実施の形態１における記録媒体の登録処理を表したチャート図
【図３】本発明の実施の形態１における記録媒体の登録解除処理を表したチャート図
【図４】本発明の実施の形態１におけるＳＤＶｉｄｅｏ規格が有しているファイル／フォルダ構造図
【図５】本発明の実施の形態１における撮影に伴う動画像データの記録処理を表したチャート図
【図６】本発明の実施の形態１における動画像記録装置の各種設定情報を記録保持する記録媒体Ａ内のデータ構造図
【図７】本発明の実施の形態１における動画像データを記録する記録媒体Ｂ内のデータ構造図
【図８】本発明の実施の形態１における動画像データを記録する記録媒体Ｃ内のデータ構造図
【図９】本発明の実施の形態１における、記録媒体間の動画像データ移動複製処理を表したチャート図
【図１０】本発明の実施の形態１における、動画像データの移動複製先の記録媒体が未登録記録媒体である場合の、動画像データの移動、および複製処理を表したチャート図
【図１１（ａ）】本発明の実施の形態１における、動画像データの移動複製先の記録媒体が登録記録媒体であり、動画像データの移動複製元の記録媒体が未登録記録媒体である場合の、動画像データの移動および複製処理を表した一部のチャート図
【図１１（ｂ）】本発明の実施の形態１における、動画像データの移動複製先の記録媒体が登録記録媒体であり、動画像データの移動複製元の記録媒体が未登録記録媒体である場合の、動画像データの移動および複製処理を表した残りのチャート図
【図１２】本発明の実施の形態１における、動画像データの移動複製元の記録媒体と、移動複製先の記録媒体の双方が、登録記録媒体である場合の、動画像データの移動複製処理を表したチャート図
【図１３】従来の動画像データ記録、移動、複製装置のブロック図
【符号の説明】
【０１４９】
１０１  動画像記録装置本体
１０２  登録鍵作成部
１０３  記録媒体登録部
１０４  登録記録媒体確認部
１０５  記録媒体登録解除部
１０６  動画像記録状態保存部
１０７  記録媒体間データ処理部
１０８  同一動画像データ確認部
１０９  記録媒体Ａ
１１０  記録媒体Ｂ
１１１  記録媒体Ｃ
１１２  動画像データ記録情報管理部
１１３  表示部
１１４  操作入力部
１１５  操作制御部
４０１，７０１，８０１  ＲＯＯＴフォルダ
４０２，７０２，８０２  ＳＤ＿ＶＩＤＥＯフォルダ
４０３，７０３，８０３  ＭＧＲ＿ＩＮＦＯフォルダ
４０４，４０５，４０６，７０４，７０５，８０４  ＰＲＧフォルダ
４０７，７０６，８０５  ＭＧＲ＿ＤＡＴＡファイル
４０８，７０７，８０６  ＰＲＧ＿ＭＧＲファイル
４０９，７０８，８０７  ＰＬＳＴ＿ＭＧＲファイル
４１０  ＰＧＩファイル
４１１  ＭＯＤファイル
４１２  ＭＯＩファイル
６０１  登録用変動番号情報
６０２，６０３  登録鍵
６０４，６０９  記録状態情報
６０５  総再生時間
６０６  動画記録フォルダ数
６０７，６１２  動画記録フォルダ名
６０８  動画記データ数
６１１  確保動画記録フォルダ情報
６１３  登録鍵情報
７０９，８０８  規格バージョン情報
７１０，８０９  レジューム再生地点情報
７１１，８１０  記録媒体に関するテキスト情報領域
７１２，８１１  総再生時間
７１３，８１２  プログラム数
７１４，７１９，８１３  プログラム概要情報
７１５，７２０，８１４  プログラムＩＤ
７１６，７２１，８１５  プログラム再生時間
７１７，７２２，８１６  属性情報
７１８，７２３，８１７  プログラム内の動画像データ数
１３０１  複製判定部
１３０２  管理情報解析部
１３０３  記録媒体Ａ
１３０４  複製制御部
１３０５  Ｆｉｌｅ／Ｄｉｒｅｃｔｏｒｙ構築部
１３０６  管理情報構築部
１３０７  記録媒体Ｂ
【図１】
2009099220.tif 000003
【図２】
2009099220.tif 000004
【図３】
2009099220.tif 000005
【図４】
2009099220.tif 000006
【図５】
2009099220.tif 000007
【図６】
2009099220.tif 000008
【図７】
2009099220.tif 000009
【図８】
2009099220.tif 000010
【図９】
2009099220.tif 000011
【図１０】
2009099220.tif 000012
【図１１（ａ）】
2009099220.tif 000013
【図１１（ｂ）】
2009099220.tif 000014
【図１２】
2009099220.tif 000015
【図１３】
2009099220.tif 000016